(57)【特許請求の範囲】
【請求項１】
締結具により弦楽器のボディにネックを固定する弦楽器のネック固定構造であって、
前記ボディには、当該ボディの厚さ方向に面する前記ボディの一方の主面、及び、前記厚さ方向に延びる前記ボディの側面に開口して、前記ネックの長手方向の基端部の少なくとも一部を挿入するネック取付用凹部が形成され、
当該ネック取付用凹部は、前記ネックの長手方向の基端をなす前記基端部の端面が面接触する凹部側端面と、前記ネックの厚さ方向に面して前記端面と共に角部を画成する前記基端部の当接主面が面接触する凹部底面とを有し、
前記締結具は、そのねじ込み方向が前記ボディ及び前記ネックの厚さ方向に対して前記ネックの長手方向の先端側に向けて傾斜した状態で、前記ボディの前記凹部底面と前記凹部側端面との角部、及び、前記ネックの前記当接主面と前記端面との角部を通して前記ボディ及び前記ネックにねじ込まれる傾斜締結具であることを特徴とする弦楽器のネック固定構造。
【請求項２】
前記締結具は、締結用ねじであることを特徴とする請求項１に記載の弦楽器のネック固定構造。
【請求項３】
前記ネックの前記当接主面と前記端面とが互いに直交し、
前記ネックの前記端面に対する前記傾斜締結具の傾斜角度が、３０度以上かつ６０度以下であることを特徴とする請求項１に記載の弦楽器のネック固定構造。
【請求項４】
前記締結具を複数備え、
前記締結具の少なくとも１つが、前記傾斜締結具をなし、
残りの前記締結具の少なくとも１つは、そのねじ込み方向が前記ボディの厚さ方向に沿うように前記凹部底面及び前記当接主面を通して前記ボディ及び前記ネックにねじ込まれる垂直締結具であることを特徴とする請求項１に記載の弦楽器のネック固定構造。
【請求項５】
前記締結具が、前記ボディ側から前記ネック側にねじ込まれていることを特徴とする請求項１に記載の弦楽器のネック固定構造。
【請求項６】
前記ネックの前記角部に、前記傾斜締結具のねじ込み方向に直交する傾斜面が形成され、
前記傾斜締結具が前記傾斜面を通ることを特徴とする請求項５に記載の弦楽器のネック固定構造。
【請求項７】
前記ネックの厚さ方向に沿う前記傾斜面の長さ寸法は、前記ネックの基端における前記ネックの厚さ寸法の半分以下であることを特徴とする請求項６に記載の弦楽器のネック固定構造。
【請求項８】
前記締結具が、前記ネック側から前記ボディ側にねじ込まれていることを特徴とする請求項１に記載の弦楽器のネック固定構造。
【請求項９】
前記ボディの前記凹部底面及び前記凹部側端面と、前記ネックの前記当接主面及び前記端面とが、接着剤によってそれぞれ接合されていることを特徴とする請求項１に記載の弦楽器のネック固定構造。
【発明の詳細な説明】
【技術分野】
【０００１】
本発明は、弦楽器のネックをボディに固定する弦楽器のネック固定構造に関する。
【背景技術】
【０００２】
通常、エレクトリックギター、アコースティックギター、バイオリン等の各種弦楽器には、ボディ及びネックを一体の木材で成形するスルーネック構造、接着剤によりネックをボディに接着固定するセットネック構造、あるいは、木ねじやボルト等の締結用ねじによりネックをボディに固定するボルトオン構造としたものがある。これらの構造の中でボルトオン構造は、弦楽器の製造容易性や製造コストにおいて他の構造よりも優位であり、また、ネックを交換する場合やネックの反り等を調整する場合において、ボディに対してネックを容易に着脱できるため、他の構造よりも容易に取り扱うことができる。
従来のボルトオン構造の弦楽器には、例えば特許文献１の第３図〜第６図に示すように、ネックの基端部をボディの上面側に形成された凹部に収容した上で、ボディの下面側からネックの基端部に向けてボディの厚さ方向に締結用ねじをねじ込むことにより、ボディとネックとを固定したものがある。
また、従来のボルトオン構造の弦楽器には、例えば特許文献１の第１図・第２図や、特許文献２の図３に示すように、前述した締結用ねじをボディの厚さ方向に対してネックの長手方向先端側に傾斜した斜め方向にねじ込んだものもある。
【先行技術文献】
【特許文献】
【０００３】
【特許文献１】実開昭６３−１９５３７８号
【特許文献２】特開２０００−１８７４８１号公報
【発明の概要】
【発明が解決しようとする課題】
【０００４】
しかしながら、特許文献１の第３図〜第６図に記載された弦楽器のネック固定構造では、ネックの基端部が締結用ねじによってボディの厚さ方向に直交する凹部の底面に押さえつけられるだけであり、ネックの基端側の端面をボディ（凹部の側面）に対して押さえつける力は生じない。言い換えれば、ボディに対してネックの基端側の端面をネックの長手方向に押さえつける力が生じない。
このため、上記構造の弦楽器においては、弦の振動が生じても弦の振動によってボディ及びネックが一体に振動し難くなり、結果として、スルーネック構造やセットネック構造のものと比較して、弦の振動が減衰し易く、十分な音の伸び（サステイン）が得られない。また、音質や音量が低下する、という問題もある。
また、上記構造の弦楽器においては、ネックの基端側の端面がネックの長手方向に押さえつけられないことで、ネックの基端側の端面とボディとの間に隙間が生じ、その結果として、ネックがその基端部を中心としてボディに対してネックの幅方向（ボディの厚さ方向及びネックの長手方向に直交する方向）に揺動することがある。この場合、ボディに対するネックの向きがずれることになる。すなわち、ボディとネックの先端側との間に張られる弦の方向（張弦方向）が、ネックの長手方向やボディにおける正しい張弦方向に対してずれてしまい、正しい張弦状態（例えば、演奏性や音程）を維持できない虞がある。
【０００５】
一方、特許文献１の第１図、第２図や、特許文献２の図３に記載された弦楽器のネック固定構造では、締結用ねじを斜め方向にねじ込んでいるため、木ねじによりネックをボディに固定する際には、ボディに対してネックの基端部をボディの厚さ方向及びネックの長手方向の両方に移動させることができる。
しかしながら、斜め方向の締結用ねじは、ネックの基端から先端側に離れた位置においてネックにねじ込まれているため、斜め方向の締結用ねじによるボディとネックとの締結力が低下する虞がある。この点について具体的に説明すれば、ネックの基端を支点として、「てこの原理」によりネックをボディ上面側に起こす外力が発生した場合、ネックの基端に位置する支点とネックの先端側に位置する力点との間に位置する斜め方向の締結用ねじには、ボディの厚さ方向上向きの大きな力が作用する。ここで、締結用ねじの締結力は締結用ねじの長手方向に強く作用するものであるが、斜め方向の締結用ねじの長手方向は、「てこの原理」によって斜め方向の締結用ねじに作用する力の向きと異なるため、斜め方向の締結用ねじの締結力が低下する虞がある。そして、締結用ねじの締結力が低下した場合には、前述したように、弦の振動が減衰し易く、十分な音の伸びが得られない、また、音質や音量も低下する、という問題が生じる。さらに、正しい張弦状態を維持できない虞もある。
なお、ネックをボディ上面側に起こす外力には、ネックの先端とボディとの間に張られた弦の張力がある。特に、ベースギターのように弦の張力が大きい場合には、ネックを起こす力も大きくなる。
さらに、特許文献２の図３に記載の構成では、ネックの基端部とボディの凹部との接触面が、互いに向きが異なる３つの面によって構成されているが、実際のところ、木工加工の精度では、これら３つの面全てを同時に面接触させることは困難である。
【０００６】
本願発明は、上述した事情に鑑みてなされたものであって、ボルトオン構造の弦楽器において、ボディとネックとの固定部分の機械的剛性、及び、締結用ねじ等の締結具の締結力に基づく弦楽器の耐久性を向上し、音質や音量、音の伸びの改善を図ることが可能な弦楽器のネック固定構造を提供することを目的とする。
【課題を解決するための手段】
【０００７】
この課題を解決するために、本発明に係る弦楽器のネック固定構造は、締結具により弦楽器のボディにネックを固定する弦楽器のネック固定構造であって、前記ボディには、当該ボディの厚さ方向に面する前記ボディの一方の主面、及び、前記厚さ方向に延びる前記ボディの側面に開口して、前記ネックの長手方向の基端部の少なくとも一部を挿入するネック取付用凹部が形成され、当該ネック取付用凹部は、前記ネックの長手方向の基端をなす前記基端部の端面が面接触する凹部側端面と、前記ネックの厚さ方向に面して前記端面と共に角部を画成する前記基端部の当接主面が面接触する凹部底面とを有し、前記締結具は、そのねじ込み方向が前記ボディ及び前記ネックの厚さ方向に対して前記ネックの長手方向の先端側に向けて傾斜した状態で、前記ボディの前記凹部底面と前記凹部側端面との角部、及び、前記ネックの前記当接主面と前記端面との角部を通して前記ボディ及び前記ネックにねじ込まれる傾斜締結具であることを特徴とする。
なお、締結具は、例えば木ねじやボルト等の締結用ねじであることが好ましい。
【０００８】
この発明に係る弦楽器のネック固定構造によれば、傾斜締結具によりネックをボディに固定する際には、ボディに対してネックの基端部が凹部底面に向けてボディの厚さ方向に移動するため、ネックの当接主面が凹部底面に当接して押し付けられる。また、ボディに対してネックの基端部が凹部側端面に向けてネックの長手方向にも移動するため、ネックの端面が凹部側端面に当接して押し付けられる。
すなわち、この構成の弦楽器では、ボディとネックとの固定部分における機械的剛性が向上する。特に、ネックの基端部がボディに対してネックの長手方向に相当する張弦方向に押し付けられることにより、弦の振動に応じてボディ及びネックが一体となって振動するため、弦の過度な振動減衰を抑えて、スルーネック構造やセットネック構造のものと同様に、十分な音の伸びを得ることができる。また、従来のものと比較して、音質や音量の低下も抑えることができる。なお、この構成を有する弦楽器はボルトオン構造であるため、スルーネック構造やセットネック構造のものと比較して、この構造独特の明るくアタック感のある音色を出すことができる。
また、この構成の弦楽器では、ネックがその基端部を中心としてボディに対してネックの幅方向に揺動することも無くなるため、正しい張弦状態を維持することができる。
さらに、一般的な木工加工の精度でも、ネックの当接主面を凹部底面に対して面接触させ、ネックの端面を凹部側端面に対して面接触させることができるため、弦楽器を容易に製造することが可能である。
【０００９】
さらに、この弦楽器のネック固定構造によれば、傾斜締結具がネックの長手方向の基端においてネックにねじ込まれているため、傾斜締結具によるボディとネックとの締結力低下を防止することもできる。すなわち、ネックの基端を支点として、「てこの原理」によりネックをボディの一方の主面側に起こす外力が発生しても、支点に配された傾斜締結具には大きな力が作用しないため、傾斜締結具の締結力が低下することも無い。
【００１０】
そして、前記弦楽器のネック固定構造において、前記ネックの前記当接主面と前記端面とが互いに直交する場合には、前記ネックの前記端面に対する前記傾斜締結具の傾斜角度を、３０度以上かつ６０度以下とすることが好ましい。
なお、傾斜締結具の傾斜角度を３０度以上とすることで、ボディの凹部側端面に対するネックの端面の押し付け力を十分に得ることができ、また、弦の振動に応じてボディ及びネックを確実に一体で振動させることができる。
また、傾斜角度を６０度以下とすることで、傾斜締結具の長さ（ねじ込み方向の長さ）が過剰に長くなることを防いで、傾斜締結具の重さや容積が弦楽器の音質や音量、音の伸び等に影響することを確実に防止することができる。さらに、ボディ上に取り付けられるピックアップ装置との干渉も容易に避けることが可能となり、傾斜締結具用の下孔の加工も容易となる。
【００１１】
また、前記弦楽器のネック固定構造においては、前記締結具を複数備え、前記締結具の少なくとも１つが、前記傾斜締結具をなし、残りの前記締結具の少なくとも１つは、そのねじ込み方向が前記ボディの厚さ方向に沿うように前記凹部底面及び前記当接主面を通して前記ボディ及び前記ネックにねじ込まれる垂直締結具とすることが好ましい。
すなわち、このネック固定構造では、垂直締結具が傾斜締結具よりもネックの先端側にずらして配置されている。
【００１２】
そして、このネック固定構造においては、垂直締結具の締結力がボディの厚さ方向に強く作用している。このため、ネックの基端を支点として、「てこの原理」によりネックをボディの一方の主面側に起こす外力が発生しても、垂直締結具の締結力によってネックがボディの一方の主面側に起こされることを確実に防止できる。言い換えれば、ネックとボディとの固定部分の機械的剛性をさらに向上できる。
なお、前述した「てこの原理」により、ネックの基端に位置する支点とネックの先端側に位置する力点との間に位置する垂直締結具に大きな力が作用しても、この力はボディの厚さ方向に作用するため、垂直締結具の締結力が低下することはない。
【００１３】
さらに、前記弦楽器のネック固定構造においては、前記締結具が、前記ボディ側から前記ネック側にねじ込まれてもよい。
また、前記締結具が、前記ネック側から前記ボディ側にねじ込まれていてもよい。
【００１４】
なお、前記ボディ側から前記傾斜締結具をねじ込む場合には、前記ネックの前記角部に、前記傾斜締結具のねじ込み方向に直交する傾斜面が形成され、前記傾斜締結具が前記傾斜面を通ることが好ましい。
この構成では、傾斜面に対して傾斜締結具を垂直にねじ込むことになるため、傾斜締結具の傾斜方向にずれが生じることなく、傾斜締結具を精度良くネックの角部からネック内にねじ込むことが可能となる。
【００１５】
また、ネックの角部に傾斜面を形成する場合には、前記ネックの厚さ方向に沿う前記傾斜面の長さ寸法を、前記ネックの基端部の厚さ寸法の半分以下とすることが好ましい。言い換えれば、傾斜面の長さ寸法は、前記ネックの厚さ方向に沿う前記ネックの端面の長さ寸法以下とすることが好ましい。
すなわち、ネックの角部に傾斜面を形成する場合には、形成しない場合と比較して、ネックの端面の面積が小さくなる。そこで、前述のように傾斜面の長さ寸法を設定することで、傾斜面を形成しても、ボディの凹部側端面に押し付けるネックの端面の面積を十分に確保して、ボディとネックとの固定部分における機械的剛性の向上を阻害することを確実に防止できる。
【００１６】
そして、前記弦楽器のネック固定構造においては、前記ボディの前記凹部底面及び前記凹部側端面と、前記ネックの前記当接主面及び前記端面とが、接着剤によってそれぞれ接合されていてもよい。
このように接着剤を用いてボディとネックとを固定しても、ボディの凹部底面及び凹部側端面と、ネックの当接主面及び端面とを確実に当接状態で密着させることが可能である。すなわち、接着剤によりネックをボディに接着する際に、傾斜締結具によりボディとネックとを予め固定しておくことで、接着剤が乾燥するまでの間にボディとネックが相対的に移動することを防いで、ボディの凹部底面とネックの当接主面とを確実に密着させることができる。また、ボディの凹部側端面とネックの端面とを確実に接着させることができる。
【発明の効果】
【００１７】
以上のように、本願発明によれば、ボディとネックとの固定部分の機械的剛性が向上するため、音質や音量、音の伸びの改善を図ることができる。また、傾斜締結具の締結力低下を防止できるため、弦楽器の耐久性向上を図ることもできる。
【図面の簡単な説明】
【００１８】
【図１】本発明の一実施形態に係るネック固定構造を備えた弦楽器をボディの上面側から見た平面図である。
【図２】図１の弦楽器におけるネック固定構造において、ネックをボディに固定する前の状態を示す分解斜視図である。
【図３】図１の弦楽器におけるネック固定構造を示す断面図である。
【図４】図３のネック固定構造をボディの下面側から見た状態を示す平面図である。
【図５】本発明の他の実施形態に係る弦楽器のネック固定構造において、ネックをボディに固定する前の状態を示す分解断面図である。
【図６Ａ】図５のネック固定構造において、ネックの傾斜面の一例を示す斜視図である。
【図６Ｂ】図５のネック固定構造において、ネックの傾斜面の他の例を示す斜視図である。
【図７】本発明の他の実施形態に係る弦楽器のネック固定構造を示す断面図である。
【発明を実施するための形態】
【００１９】
図１に示すように、本発明の一実施形態に係る弦楽器１は、木製のボディ２、ボディ２の面方向端部に固定されてボディ２から離れるように延びるネック３、ボディ２の上面（一方の主面）２ａ側に設けられたブリッジ４とネック３の長手方向先端部に設けられた糸巻５との間に張られる弦６、弦６の振動を電気信号に変換するピックアップ装置７、音量や音質等を調整する摘み等の操作子８、を備えて大略構成されている。そして、弦６を張る方向（張弦方向）は、ネック３の長手方向にほぼ一致している。
なお、この実施形態においては、ボディ２がその内部に空洞を有さない中実構造であるソリッド型のエレクトリックギターを弦楽器の一例として説明するが、それ以外の弦楽器、例えば、ボディ２がその内部に空洞を有する中空構造とされたセミアコースティック型のエレクトリックギター、アコースティックギター、バイオリン等の各種弦楽器にも本発明を適用することができる。
【００２０】
図２，３に示すように、ボディ２には、ネック３の長手方向の基端部３３を挿入するためのネック取付用凹部２１が形成されている。ネック取付用凹部２１は、ボディ２の厚さ方向に面するボディ２の上面２ａ、及び、ボディ２の厚さ方向に延びるボディ２の側面２ｃの両方に開口しており、断面矩形状に形成されている。
より具体的に説明すれば、ネック取付用凹部２１は、ボディ２の上面２ａに対してボディ２の厚さ方向に窪んで位置する平坦な凹部底面２１ａと、ボディ２の側面２ｃに対してボディ２の面方向に窪んで位置する平坦な凹部側端面２１ｃとを有している。ここで、凹部底面２１ａはボディ２の厚さ方向に直交し、凹部側端面２１ｃはボディ２の厚さ方向に沿っている。すなわち、凹部底面２１ａと凹部側端面２１ｃとは互いに直交している。
【００２１】
ネック３は、木製のネック本体３１の上面３１ａに指板３２を接着等により接合して構成されている。なお、前述した弦６（図１参照）は指板３２の上面３２ａに対向するように配される。
ネック３の基端部３３は、ネック３の長手方向の基端をなす端面３３ｃと、指板３２の上面３２ａと反対側に面する平坦な当接下面（当接主面）３３ｂとを有している。ここで、端面３３ｃはネック３の厚さ方向に沿っており、当接下面３３ｂはネック３の厚さ方向に直交している。すなわち、ネック３の端面３３ｃと当接下面３３ｂとは互いに直交している。
これにより、ネック３の基端部３３をネック取付用凹部２１に挿入した状態では、ネック３の端面３３ｃが凹部側端面２１ｃに面接触し、ネック３の当接下面３３ｂが凹部底面２１ａに面接触することになる。
【００２２】
なお、図示例においては、ネック３の基端部３３をネック取付用凹部２１に挿入した状態で、指板３２の上面３２ａがボディ２の上面２ａよりもボディ２の厚さ方向に突出している。すなわち、ネック取付用凹部２１には、ネック３の基端部３３の一部のみが挿入されているが、例えば基端部３３全体が挿入されていてもよい。ただし、ハイポジションでの演奏性等を考慮すれば、基端部３３におけるネック３の上面３２ａはネック取付用凹部２１内に配されないように、ネック取付用凹部２１やネック３の基端部３３の各寸法を設定することが好ましい。
また、図示例においては、指板３２に、ネック本体３１の長手方向の基端（端面３３ｃ）からネック３の長手方向に突出し、ネック３の基端部３３をネック取付用凹部２１に挿入した状態でボディ２の上面２ａに対向する突出部３６が形成されているが、例えば形成されていなくてもよい。さらに、指板３２の突出部３６は、ボディ２の上面２ａとの間に隙間を介して配されているが、例えばボディ２の上面２ａに接触していてもよい。
【００２３】
この弦楽器１では、ネック３の基端部３３をネック取付用凹部２１に挿入した状態で、複数の締結用ねじ（締結具）４１Ａ，４１Ｂによってボディ２がネック３に固定されている。以下、このネック固定構造について詳細に説明する。
各締結用ねじ４１Ａ，４１Ｂは、木材に対して直接ねじ込むことが可能な木ねじであり、いずれもボディ２の下面２ｂ側からネック３側にねじ込まれている。図３，４に示すように、締結用ねじ４１Ａ，４１Ｂには、その長手方向（ねじ込み方向）がボディ２やネック３の厚さ方向に対してネック３の長手方向先端側に向けて傾斜する傾斜ねじ（傾斜締結具）４１Ａ、及び、長手方向（ねじ込み方向）がネック３の厚さ方向に沿う垂直ねじ（垂直締結具）４１Ｂの二種類がある。
【００２４】
傾斜ねじ４１Ａは、ボディ２の凹部底面２１ａと凹部側端面２１ｃとの角部、及び、ネック３の当接下面３３ｂと端面３３ｃとの角部を通してボディ２及びネック３にねじ込まれている。なお、ネック３の端面３３ｃに対する傾斜ねじ４１Ａの傾斜角度θは、少なくとも０度よりも大きくかつ９０度よりも小さく設定されていればよいが、例えば、３０度以上かつ６０度以下に設定されていることが好ましく、４５度に設定されていることがさらに好ましい。
一方、垂直ねじ４１Ｂは、ボディ２の凹部底面２１ａ、及び、ネック３の当接下面３３ｂに直交する（ネック３の長手方向に対して直交する）ように、これら凹部底面２１ａ及び当接下面３３ｂを通してボディ２及びネック３にねじ込まれている。
【００２５】
そして、これら傾斜ねじ４１Ａ及び垂直ねじ４１Ｂは、ネック３の長手方向に沿ってその基端側から先端側に向けて順番に配列されている。
なお、図３，４においては、垂直ねじ４１Ｂがネック３の長手方向に沿って二つ配列されているが、例えば三つ以上配列されてもよいし、例えば一つの垂直ねじ４１Ｂだけが傾斜ねじ４１Ａと共にネック３の長手方向に配列されていてもよい。また、図４においては、ネック３の長手方向に沿う傾斜ねじ４１Ａ及び垂直ねじ４１Ｂの配列パターンが、ネック３の幅方向に二つ並べられているが、例えば三つ以上並べられてもよいし、一つだけ配されていてもよい。さらに、傾斜ねじ４１Ａ及び垂直ねじ４１Ｂは、ネック３の長手方向に一致するように配列されているが、少なくとも垂直ねじ４１Ｂが傾斜ねじ４１Ａと干渉しないように、傾斜ねじ４１Ａよりもネック３の先端側にずらして配置されていればよく、例えば、傾斜ねじ４１Ａと垂直ねじ４１Ｂとが互いにネック３の幅方向にずれて位置していてもよい。
【００２６】
以上のように、この実施形態に係る弦楽器１のネック固定構造によれば、傾斜ねじ４１Ａによりネック３をボディ２に固定する際に、ボディ２に対してネック３の基端部３３が凹部底面２１ａに向けてボディ２の厚さ方向に移動するため、ネック３の当接下面３３ｂが凹部底面２１ａに当接して押し付けられる。また、この際には、ボディ２に対してネック３の基端部３３が凹部側端面２１ｃに向けてネック３の長手方向にも移動するため、ネック３の端面３３ｃが凹部側端面２１ｃに当接して押し付けられる。
すなわち、この構成の弦楽器１では、ボディ２とネック３との固定部分における機械的剛性が向上し、音質や音量、音の伸びの改善を図ることができる。特に、ネック３の基端部３３がボディ２に対してネック３の長手方向に相当する張弦方向に押し付けられることにより、弦６の振動に応じてボディ２及びネック３が一体となって振動するため、弦６の過度な振動減衰を抑えて、スルーネック構造やセットネック構造のものと同様に、十分な音の伸びを得ることができる。また、従来のものと比較して、音質や音量の低下も抑えることができる。なお、この構成を有する弦楽器１はボルトオン構造であるため、スルーネック構造やセットネック構造のものと比較して、この構造独特の明るくアタック感のある音色を出すことができる。
また、ネック３の端面３３ｃがボディ２の凹部側端面２１ｃに押し付けられることで、ネック３がその基端部３３を中心としてボディ２に対してネック３の幅方向に揺動することも無くなるため、正しい張弦状態を維持することができる。
また、一般的な木工加工の精度でも、ネック３の当接下面３３ｂを凹部底面２１ａに対して面接触させ、ネック３の端面３３ｃを凹部側端面２１ｃに対して面接触させることができるため、弦楽器１を容易に製造することが可能である。
【００２７】
さらに、傾斜ねじ４１Ａはネック３の長手方向の基端においてネック３にねじ込まれているため、傾斜ねじ４１Ａによるボディ２とネック３との締結力低下を防止することもできる。すなわち、ネック３の基端を支点として、「てこの原理」によりネック３をボディ２の上面２ａ側に起こす外力が発生しても、支点に配された傾斜ねじ４１Ａには大きな力が作用しないため、傾斜ねじ４１Ａの締結力が低下することも無い。したがって、弦楽器１の耐久性向上を図ることもできる。
【００２８】
また、傾斜ねじ４１Ａの傾斜角度θを３０度以上とすることで、ボディ２の凹部側端面２１ｃに対するネック３の端面３３ｃの押し付け力を十分に得ることができ、また、弦６の振動に応じてボディ２及びネック３を確実に一体で振動させることができる。
さらに、傾斜角度θを６０度以下とすることで、傾斜ねじ４１Ａの長さが過剰に長くなることを防ぐことができるため、傾斜ねじ４１Ａの重さや容積が弦楽器１の音質や音量、音の伸び等に影響することを確実に防止することができると共に、ボディ２あるいはネック３に傾斜ねじ４１Ａを容易にねじ込むことができる。
そして、傾斜ねじ４１Ａの傾斜角度θを４５度に設定した場合には、ボディ２及びネック３に対する傾斜ねじ４１Ａのねじ込みに基づいて、ネック３の当接下面３３ｂを凹部底面２１ａに押し付ける力と、ネック３の端面３３ｃを凹部側端面２１ｃに押し付ける力とを均等に設定することができる。
【００２９】
また、傾斜ねじ４１Ａに加えて垂直ねじ４１Ｂを設けることで、ボディ２とネック３との固定部分の機械的剛性をさらに向上できる。具体的に説明すれば、このネック固定構造においては、垂直ねじ４１Ｂの締結力がボディ２の厚さ方向に強く作用している。このため、ネック３の基端を支点として、「てこの原理」によりネック３をボディ２の上面２ａ側に起こす外力が発生しても、垂直ねじ４１Ｂの締結力によってネック３がボディ２の上面２ａ側に起こされることを確実に防止できる。
なお、前述した「てこの原理」の外力に基づいて、ネック３の基端に位置する支点とネック３の先端側に位置する力点との間に位置する垂直ねじ４１Ｂに大きな力が作用しても、この力はボディ２の厚さ方向に作用するため、垂直ねじ４１Ｂの締結力が低下することはない。
【００３０】
そして、上記実施形態のように傾斜ねじ４１Ａをボディ２側からネック３側にねじ込む場合には、例えば図５、図６Ａ及び図６Ｂに示すように、ネック３の端面３３ｃと当接下面３３ｂとの角部に、傾斜ねじ４１Ａの長手方向に直交する傾斜面３３ｄを形成しておき、傾斜ねじ４１Ａが傾斜面３３ｄを通るように傾斜ねじ４１Ａをネック３側にねじ込むことがより好ましい。
なお、図５において、ボディ２の下面２ｂからネック取付用凹部２１内に貫通する貫通孔や、ネック３の当接下面３３ｂや角部に開口する有底孔は、木ねじである締結用ねじ４１Ａ，４１Ｂをボディ２やネック３にねじ込むための下孔２４Ａ，２４Ｂ，３４Ａ，３４Ｂを示している。図示例において、ネック３に形成される各下孔３４Ａ，３４Ｂの直径は、締結用ねじ４１Ａ，４１Ｂの外径よりも小さく設定されている。一方、ボディ２に形成される各下孔２４Ａ，２４Ｂの直径は、締結用ねじ４１Ａ，４１Ｂの外径よりもやや大きく設定されているが、例えば締結用ねじ４１Ａ，４１Ｂの外径と同じか小さくてもよい。そして、各下孔２４Ａ，２４Ｂ，３４Ａ，３４Ｂの向きは、各締結用ねじ４１Ａ，４１Ｂをねじ込む方向に一致している。
ネック３に形成される傾斜面３３ｄは、例えば図６Ａに示すように、ネック３の幅方向にわたってネック３の端面３３ｃと当接下面３３ｂとの角部全体に形成されてもよいが、例えば図６Ｂに示すように、ネック３の端面３３ｃと当接下面３３ｂとの角部のうち、傾斜ねじ４１Ａが通る部分にのみ形成されてもよい。
【００３１】
この構成においては、ネック３の厚さ方向に沿う傾斜面３３ｄの長さ寸法Ｔｓを、ネック３の基端におけるネック３の厚さ寸法Ｔｎの半分以下とすることが好ましい。言い換えれば、傾斜面３３ｄの長さ寸法Ｔｓは、ネック３の厚さ方向に沿うネック３の端面３３ｃの長さ寸法Ｔｂ以下とすることが好ましい。一方、ネック３の厚さ方向に沿う傾斜面３３ｄの最小限の長さ寸法は、下孔３４Ａの開口全体が含まれるように設定されていることが好ましい。
【００３２】
上記構成では、ネック３に傾斜面３３ｄを形成することで、傾斜ねじ４１Ａを傾斜面３３ｄに対して垂直にねじ込むことになるため、ネック３の端面３３ｃに対する傾斜ねじ４１Ａの傾斜角度θにずれが生じることなく、傾斜ねじ４１Ａを精度良くネック３の角部からネック３内にねじ込むことができる。
また、図５に示すように、傾斜ねじ４１Ａ用の下孔３４Ａをドリルにより形成する場合にも、ドリルの先端を傾斜面３３ｄに対して垂直に突き当てることができるため、ドリルの先端がネック３の角部からずれることを防ぎ、下孔３４Ａを所望の傾斜角度θで精度良く形成することができる。
【００３３】
さらに、ネック３の角部に傾斜面３３ｄを形成する場合には、形成しない場合と比較して、ネック３の端面３３ｃの面積が小さくなるが、前述したように傾斜面３３ｄの長さ寸法Ｔｓをネック３の厚さ寸法Ｔｎの半分以下とすることで、傾斜面３３ｄを形成しても、ボディ２の凹部側端面２１ｃに押し付けるネック３の端面３３ｃの面積を十分に確保できる。したがって、ボディ２とネック３との固定部分における機械的剛性の向上を阻害することを確実に防止できる。
【００３４】
そして、上記実施形態において、締結用ねじ４１Ａ，４１Ｂは、ボディ２側からネック３側にねじ込まれるとしたが、例えば図７に示すように、ネック３側からボディ２側にねじ込まれてもよい。この場合には、ハイポジションでの演奏性等を考慮して、締結用ねじ４１Ａ，４１Ｂの頭がネック３の上面３２ａから突出しないように締結用ねじ４１Ａ，４１Ｂを配置することが好ましい。また、指板３２をネック本体３１に接合する前に、締結用ねじ４１Ａ，４１Ｂをネック本体３１にねじ込んでおくことがより好ましい。さらに、ネック本体３１の上面３１ａに開口するねじ孔（特に、傾斜ねじ４１Ａをねじ込むためのねじ孔３５）によってネック３内部に空洞部が画成されないように、接着剤４３等をねじ孔３５に充填しておくことが好ましい。
【００３５】
また、ネック３をボディ２に固定するための締結用ねじ４１Ａ，４１Ｂは、木ねじに限らず、例えばボルトであってもよい。この場合には、例えば鬼目ナット等のねじ管をネック３内に予め挿入した上で、ボルトをボディ２側からネック３側にねじ込んで、ねじ管に羅着させればよい。
さらに、ボディ２及びネック３は、傾斜ねじ４１Ａ及び垂直ねじ４１Ｂによって固定されるとしたが、少なくとも傾斜ねじ４１Ａにより固定されていればよく、例えば傾斜ねじ４１Ａや垂直ねじ４１Ｂとは異なる方向にねじ込む他の締結用ねじによって固定されてもよい。
また、ボディ２とネック３とは、締結用ねじ４１Ａ，４１Ｂによって固定されることに限らず、少なくともボディ２及びネック３にねじ込むことでボディ２及びネック３が互いに近づく方向に移動する締結具であればよい。
【００３６】
また、前述した全ての弦楽器のネック固定構造では、ボディ２の凹部底面２１ａ及び凹部側端面２１ｃと、ネック３の当接下面３３ｂ及び端面３３ｃとが、例えば接着剤によってそれぞれ接合されていてもよい。
このように接着剤を用いてボディ２とネック３とを固定しても、ボディ２の凹部底面２１ａ及び凹部側端面２１ｃと、ネック３の当接下面３３ｂ及び端面３３ｃとを確実に当接状態で密着させることができる。すなわち、接着剤によりネック３をボディ２に接着する際に、傾斜ねじ４１Ａによりボディ２とネック３とを予め固定しておくことで、接着剤が乾燥するまでの間にボディ２とネック３とが相対的に移動することを防いで、ボディ２の凹部底面２１ａとネック３の当接下面３３ｂとを確実に密着させることができる。また、ボディ２の凹部側端面２１ｃとネック３の端面３３ｃとを確実に接着させることができる。
【００３７】
また、ネック３の当接下面３３ｂは、ネック３の厚さ方向に直交することに限らず、少なくとも傾斜ねじ４１Ａの長手方向に対して直交しない範囲で、ネック３の厚さ方向に交差していればよい。言い換えれば、ネック３の当接下面３３ｂは少なくともネック３の厚さ方向に面していればよい。また、ネック３の端面３３ｃも同様に、ネック３の厚さ方向に沿うことに限らず、傾斜ねじ４１Ａの長手方向に対して直交しない範囲であれば、例えばネック３の厚さ方向に交差していてもよい。さらに、ネック３の当接下面３３ｂと端面３３ｃとは互いに直交するとしたが、少なくとも角部を画成するように互いに交差していればよい。
【００３８】
以上のことから、ネック３の当接下面３３ｂは、例えばネック３の長手方向の基端から先端側に向かうにしたがってネック３の厚さ寸法が大きく、あるいは、小さくなるように、ネック３の端面３３ｃに対して斜めに傾いていてもよい。言い換えれば、ネック３の当接下面３３ｂは、ネック３の長手方向及び厚さ方向の両方に対して斜めに傾いていてもよい。
なお、ボディ２の凹部底面２１ａや凹部側端面２１ｃは、少なくとも前述したネック３の当接下面３３ｂや端面３３ｃに対してそれぞれ面接触するように形成されていればよい。
【００３９】
また、ネック３は、ネック本体３１と指板３２とを接合して構成されることに限らず、例えば同一の木材によりネック本体３１及び指板３２を一体に形成して構成されてもよい。
【００４０】
さらに、ネック３は、上記実施形態のようにボディ２の上面２ａ側に固定されることに限らず、例えばボディ２の下面２ｂ側に固定されてもよい。
この場合、ボディ２には、その下面（一方の主面）２ｂ及び側面２ｃに開口するネック取付用凹部が形成され、このネック取付用凹部が、上記実施形態と同様の凹部側端面、及び、ボディ２の下面２ｂに対して厚さ方向に窪んで位置する凹部底面を有していればよい。一方、ネック３の基端部３３に、ネック３の上面３２ａに対してネック３の厚さ方向に窪む段差部を形成し、この段差部に、ネック３の基端をなして凹部側端面に面接触する端面、及び、凹部底面に面接触する当接上面（当接主面）を形成すればよい。
そして、段差部をネック取付用凹部に挿入した状態で、上記実施形態の場合と同様に、傾斜ねじをボディ２の凹部底面と凹部側端面との角部、及び、ネック３の当接上面と端面との角部を通せばよい。
【００４１】
以上、本発明の実施形態について図面を参照して詳述したが、具体的な構成はこの実施形態に限られるものではなく、本発明の要旨を逸脱しない範囲の設計変更等も含まれる。
【符号の説明】
【００４２】
１…弦楽器、２…ボディ、２ａ…上面（一方の主面）、２ｃ…側面、３…ネック、２１…ネック取付用凹部、２１ａ…凹部底面、２１ｃ…凹部側端面、３３…基端部、３３ｂ…当接下面（当接主面）、３３ｃ…端面、３３ｄ…傾斜面、４１Ａ…傾斜ねじ（締結用ねじ（締結具）、傾斜締結具）、４１Ｂ…垂直ねじ（締結用ねじ（締結具）、垂直締結具）、θ…傾斜角度
【図１】
0005617526.tif 000002
【図２】
0005617526.tif 000003
【図３】
0005617526.tif 000004
【図４】
0005617526.tif 000005
【図５】
0005617526.tif 000006
【図６Ａ】
0005617526.tif 000007
【図６Ｂ】
0005617526.tif 000008
【図７】
0005617526.tif 000009